(57)【特許請求の範囲】
【請求項１】
第１の層のディスク状基板と第２の層のディスク状基板とが合わせられており、それぞれのディスク状基板の記録層に、スパイラル状のグルーブと該グルーブに隣接するスパイラル状のランドの両者で構成されたトラックを有する光ディスクにおいて、
前記グルーブが途切れた領域に少なくとも情報記録単位の番号が記録された識別情報が、前記グルーブトラックおよびランドトラックの延長線上に配された微小な凹部あるいは凸部であるプリピットにより予め記録されており、かつ前記グルーブの途切れた領域がトラックに沿って一定の間隔Ｄ（ｍｍ）を置いて形成されており、
ディスク内の任意のトラック１周はＭ×Ｄ＋α（ｍｍ）あるいはＭ×Ｄ−α（ｍｍ）（Ｍ：自然数、α：０でない正の実数）のいずれかの長さを持ち、αはディスク内で一定であり、
前記グルーブトラック上の識別情報（Ｎバイト）と前記ランドトラック上の識別情報（Ｎバイト）はそれぞれ２つに分割されており、かつ前記分割された各々の識別情報（Ｎ／２，Ｎ／２）は、そのトラック方向の前後にランド部を有し、且つ分割された識別情報とその前後のランド部とは同じ長さであり、各識別情報の前後左右がランド部となるように配置されていることを特徴とする光ディスク。
【請求項２】
前記分割された識別情報に記録された情報記録単位の番号は同一であることを特徴とする請求項１記載の光ディスク。
【請求項３】
前記αは、前記分割された一つの識別情報の物理的長さの略２倍であることを特徴とする請求項２記載の光ディスク。
【請求項４】
第１の層のディスク状基板と第２の層のディスク状基板とが合わせられており、それぞれのディスク状基板の記録層に、スパイラル状のグルーブと該グルーブに隣接するスパイラル状のランドの両者で構成されたトラックを有する光ディスクにおいて、
前記グルーブが途切れた領域に少なくとも情報記録単位の番号が記録された識別情報が、前記グルーブトラックおよびランドトラックの延長線上に配された微小な凹部あるいは凸部であるプリピットにより予め記録されており、かつ前記グルーブの途切れた領域がトラックに沿って一定の間隔Ｄ（ｍｍ）を置いて形成されており、
ディスク内の任意のトラック１周はＭ×Ｄ＋α（ｍｍ）あるいはＭ×Ｄ−α（ｍｍ）（Ｍ：自然数、α：０でない正の実数）のいずれかの長さを持ち、αはディスク内で一定であり、
前記グルーブトラック上の識別情報（Ｎバイト）は２つに分割されており、かつ前記分割された各々の識別情報（Ｎ／２，Ｎ／２）は、そのトラック方向の前後にランド部を有し、且つ分割された識別情報とその前後のランド部とは同じ長さであり、各識別情報の前後左右がランド部となるように配置されていることを特徴とする光ディスク。
【発明の詳細な説明】
【０００１】
【発明の属する技術分野】
本発明は、大容量記録型光ディスクの記録フォーマット、特にランダムに記録可能で、かつ、２つ以上の情報記録面を持つ多層大容量の光ディスクに関する。
【０００２】
【従来の技術】
従来の光ディスクのトラック構造の一例を、図１０を用いて説明する。ディスク状記録媒体の半径方向に複数のグルーブトラック１１及びランドトラック１２が交互に配置されている。各トラックは半径方向に微小量ウォブルされている。また、各トラックは半径方向にそろった複数の円弧状セクタに分割されており、各円弧状セクタの先頭部には、記録領域を識別するためのアドレス情報を有するヘッダ６が配置されている。
【０００３】
ヘッダ６はディスク半径方向にそろった、すなわち放射線上に配置されている。この例では、各トラックの幅は約０．６μｍ、グルーブ部の溝深さは約６０ｎｍである。またこの例ではセクタの長さは約６ｍｍで、２０４８バイトのユーザ容量に相当する。グルーブ部およびランド部は約２０ｎｍの振幅で半径方向に揺動（ウォブル）されている。ウォブルの周期はセクタの長さの１／２３２すなわち、約２５μｍに設定されている。この１：２３２と言う比は、記録データの長さ（チャネルビット長）に対してウォブルの周期が整数倍になるように選ばれた結果である。これは、ウォブルから記録クロックを容易に生成できるようにするためである。
【０００４】
図１０はトラック先頭部のヘッダ部分すなわち識別情報部分の詳細を示したものである。図１０で識別情報は第１の位置６３１、第２の位置６３２の２つの場所に半径方向にそろって放射状に配置されている。前後のトラックはグルーブ部１１同士、ランド部１２同士で接続している。この図の例では各識別情報はその右側の情報トラックの記録領域に対応している。さらに、図の右側のグルーブトラック１１に対応する識別情報は第１の位置６３１に、ランドトラック１２に対応する識別情報は第２の位置６３２に配置されている。すなわち、識別情報は、情報トラックに沿う方向の位置が隣接するトラック同士で異なっておりかつ２つ隣のトラックとは一致するように配置されている。すなわち、ランドとグルーブトラックの境界線上で見ると、識別情報の配置位置を第一と第二の領域に分け、１トラックおきに交互に第一と第二の識別情報領域を用いる構成となっている。
【０００５】
このため、例えば、グルーブ部１１上を光スポット２１が走査した場合、常にどちらか片方のピットだけが再生されることとなり隣接トラックからのクロストークが生じる心配が無い。従って、プリピットに配されたアドレス情報をクロストーク無く良好に再生することが可能となる。プリピットのアドレス情報はこの例では８／１６変調符号（チャンネルビット長０．１４μｍ）により記録されている。
【０００６】
ヘッダ部の識別情報は小さな窪み（ピット）によって、形成されている。これはディスクの製造時に基板の凹凸などとして、グルーブなどと同時に形成される。
【０００７】
記録膜としては、相変化型記録膜（ＧｅＳｂＴｅ）が用いられており、記録マークは非晶質領域の形で形成される。
【０００８】
以上の従来例については、たとえば、特許第２８５６３９０号などに詳しく記載されている。
【０００９】
【発明が解決しようとする課題】
上記従来例の識別情報、すなわちアドレスの配置方法に置いては、隣接トラック識別情報に起因するクロストークの影響を取り除くことができた。しかし、例えば、２トラック隣の識別情報が一つの光のスポット内に入るような条件で再生したときには、クロストークの影響が大きく出る問題があった。
【００１０】
このような問題が生じる条件は、例えば、図１１に示すように、記録層として２層（１５，１６）を有する光ディスクにおいて、二層のうちの一つの層１６に光スポットを集光して情報再生した場合に、他方の層１５上での光スポット２１に関して起こりうる。なぜなら、層１５の上では光スポットはフォーカスされていないため、光スポット２１がボケて非常に大きくなってしまい、複数のトラックの影響を同時に受けることになるからである。
【００１１】
この場合、半径方向に揃った識別情報が同時に一つのスポット内に入ってしまうことになるため、この識別情報部の影響が非常に大きくなってしまい、二層記録媒体への展開は実質的に不可能であった。
【００１２】
同様の層間の影響は図１２に示したように、記録部と未記録部が混在する場合にも現れる。図１２の例では記録単位領域（記録ユニット）の先頭が複数のトラック１１にわたって周方向に揃っている。このため、光スポット２１が記録済みの記録単位領域１３が多数存在する領域から、未記録部が大多数である領域へと移動したときに、光スポット全体では反射率や透過率が大きく変化することになる。このため、この層１５が光スポットの反射光や透過光に急激に影響を与えるため、多層記録型ディスクでの層間の影響によって、記録再生対象の層１６の再生信号品質が大きく劣化することになる。
【００１３】
本発明の目的は、上記課題を解決し、２層記録媒体への適用が容易な記録フォーマットを有する光ディスクを提供することにある。
【００１４】
【課題を解決するための手段】
この発明の光ディスクは、第１の層のディスク状基板と第２の層のディスク状基板とが合わせられており、それぞれのディスク状基板の記録層に、スパイラル状のグルーブと該グルーブに隣接するスパイラル状のランドの両者で構成されたトラックを有する光ディスクにおいて、
前記グルーブが途切れた領域に少なくとも情報記録単位の番号が記録された識別情報が、前記グルーブトラックおよびランドトラックの延長線上に配された微小な凹部あるいは凸部であるプリピットにより予め記録されており、かつ前記グルーブの途切れた領域がトラックに沿って一定の間隔Ｄ（ｍｍ）を置いて形成されており、ディスク内の任意のトラック１周はＭ×Ｄ＋α（ｍｍ）あるいはＭ×Ｄ−α（ｍｍ）（Ｍ：自然数、α：０でない正の実数）のいずれかの長さを持ち、αはディスク内で一定であり、前記グルーブトラック上の識別情報（Ｎバイト）と前記ランドトラック上の識別情報（Ｎバイト）はそれぞれ２つに分割されており、かつ前記分割された各々の識別情報（Ｎ／２，Ｎ／２）は、そのトラック方向の前後にランド部を有し、且つ分割された識別情報とその前後のランド部とは同じ長さであり、各識別情報の前後左右がランド部となるように配置されている。
【００１５】
またこの発明の光ディスクは、第１の層のディスク状基板と第２の層のディスク状基板とが合わせられており、それぞれのディスク状基板の記録層に、スパイラル状のグルーブと該グルーブに隣接するスパイラル状のランドの両者で構成されたトラックを有する光ディスクにおいて、前記グルーブが途切れた領域に少なくとも情報記録単位の番号が記録された識別情報が、前記グルーブトラックおよびランドトラックの延長線上に配された微小な凹部あるいは凸部であるプリピットにより予め記録されており、かつ前記グルーブの途切れた領域がトラックに沿って一定の間隔Ｄ（ｍｍ）を置いて形成されており、ディスク内の任意のトラック１周はＭ×Ｄ＋α（ｍｍ）あるいはＭ×Ｄ−α（ｍｍ）（Ｍ：自然数、α：０でない正の実数）のいずれかの長さを持ち、αはディスク内で一定であり、前記グルーブトラック上の識別情報（Ｎバイト）は２つに分割されており、かつ前記分割された各々の識別情報（Ｎ／２，Ｎ／２）は、そのトラック方向の前後にランド部を有し、且つ分割された識別情報とその前後のランド部とは同じ長さであり、各識別情報の前後左右がランド部となるように配置されている。
【００１６】
【発明の実施の形態】
以下、図面を参照しながら本発明の実施の形態を説明する。
【００１７】
図１に本発明の光ディスクのトラックおよびヘッダ領域の配置を示す。光ディスク１０１は例えば直径１２０ｍｍの円盤状のディスクであり、中心部にはディスクを回転させるモータに取り付けるための内穴１０２（例えば直径１５ｍｍ）が開いている。光ディスク１０１の記録領域最内周部１０３（例えば直径４８ｍｍ）から記録領域最外周部１０４（例えば直径１１６ｍｍ）の間の領域にはグルーブがスパイラル状に形成されており、データの記録再生を行うことができる。
【００１８】
図１には記録再生可能な領域内の識別情報部すなわちヘッダ領域を含む周辺の拡大図を上部に示している。本実施の形態の光ディスクはいわゆるランド＆グルーブ記録フォーマットの光ディスクであり、物理的な凹部により形成されたグルーブトラック１０５と隣接する２つのグルーブトラック１０５の間に相対的に形成されたランドトラック１０６が情報記録トラックとして配置されている。グルーブトラック１０５とランドトラック１０６は記録領域１０７を構成し、例えばディスク媒体の相変化によるマークを記録可能であり、このマークによりユーザデータが記録される。
【００１９】
グルーブトラック１０５はユーザデータの記録単位毎にその先頭の一部が途切れており、その途切れた領域（ヘッダ領域１０８）に例えば記録単位の番号を示す識別情報が、微小な凹部あるいは凸部であるプリピットにより予め記録される。ヘッダ領域１０８はトラックに沿ってほぼ一定の間隔Ｄ（ｍｍ）をおいて配置される。このときの様子を図８に示す。図８（ａ）の場合は、グルーブトラック１０５がスパイラル状に一周する長さ（曲線ＡＢの長さ）は、ヘッダ領域１０８の先頭から次のヘッダ領域１０８の先頭までの長さがＤ（ｍｍ）であるので、Ｍ×Ｄ−α（ｍｍ）（Ｍは正の整数で図８の場合は６、αは実数）となる。
【００２０】
すなわち、トラック一周後のヘッダ領域１０８は一周前のヘッダ領域からα（ｍｍ）だけずれて形成される。光ディスク１０１内の任意のトラックにおいてこの条件が成り立つように構成すると、ディスク全面においてヘッダ領域１０８が半径方向に揃わずに、少しずつずれながら形成される。こうして、結果としてヘッダ領域１０８はディスク上でグルーブトラック１０５のスパイラル形状とは異なるスパイラル形状に形成される。なお、図８（ｂ）のようにグルーブトラック１０５がスパイラル状に一周する長さを、Ｍ×Ｄ＋α（ｍｍ）としてもよい。この場合は、ヘッダ領域１０８によりディスク上に形成されるスパイラル形状が図８（ａ）とは逆方向の形状になる。
【００２１】
ここで、例えば２層の記録層を有する光ディスクへの本発明の光ディスクのトラックおよびヘッダ領域の配置を考える。
【００２２】
図２のように、情報記録層が対物レンズ１２１に近い側から第０層１２２、第１層１２３と積層されているとする。この場合、第１層１２３に集光した光スポットは、第０層１２２ではフォーカスされずボケた状態（デフォーカス状態）で非常に大きな光スポットを形成することになる。この第０層１２２に形成されたデフォーカス状態の光スポットの反射光は、対物レンズ１２１内に、第１層１２３に集光した光スポットによる反射光と共に入射するため、情報記録再生上、漏話（クロストーク）成分となる。したがって、第０層１２２のデフォーカス状態の光スポットによる反射光が大きく変動する場合は、正確な情報記録再生に大きな影響を及ぼし、実質的に記録再生が不可能となってしまう。
【００２３】
本発明の光ディスクにおいて第１層１２３の情報を記録再生する場合の、第０層１２２のデフォーカス状態の光スポットの状態を図３（ａ）に示す。
【００２４】
本発明の光ディスクにおいては上記のようにヘッダ領域１０８がディスク上でスパイラル状に形成されているため（図３上図参照）、デフォーカス状態の光スポット１２４内にヘッダ領域１０８が大きな面積を占めることがなく、光スポット１２４の移動とともに、徐々にヘッダ領域１０８を横切るようになる。このとき光スポット１２４による反射光量は大きな変動を示さない。
【００２５】
一方、従来の光ディスクでは図３（ｂ）の如く、デフォーカス状態の光スポット２１は、半径方向に揃って放射状に配置されたヘッダ領域６を横切るとき、記録領域２４が光スポット２１内のほぼ全域を占める状態から、ヘッダ領域６が光スポット２１内のほぼ全域を占める状態へと急激に変化するため反射光量が大きく変動してしまうことになる。このときの情報再生対象である第１層１２３の再生信号の様子を図９に示す。
【００２６】
本発明の光ディスクの場合は、第０層１２２からの反射光量は大きな変動を示さないため、図９（ａ）のように安定したレベルを維持する。一方、従来の光ディスクの場合は図９（ｂ）のように、第０層１２２上のデフォーカス状態の光スポット２１がヘッダ領域６を横切るときに反射光量が大きく変化するため、第１層１２３の再生信号を大きく変動させてしまう。このように、従来問題となっていたヘッダ領域によるクロストークが本発明による光ディスクでは問題とならなくなる。また、従来問題となっていた記録部と未記録部が混在する場合についても、本発明の光ディスクでは問題とはならなくなる。これは図４に示すように記録済みの記録単位領域が多数存在する領域１２５から、未記録部が大多数である記録領域１２６へと移動したとき、光スポットは緩やかに両領域を移行することになり、従来のような急激な反射率変化を起こさないからである。
【００２７】
こうして、本発明の光ディスクでは従来問題となっていたデフォーカス状態の光スポットによる他方の層への影響が抑制され、２層の記録層への情報の展開が初めて可能となるのである。
【００２８】
次に、本発明の光ディスクにおけるヘッダ領域のプリピットの配置について説明する。図１のヘッダ領域１０８にはグルーブトラック１０５およびランドトラック１０６の延長線上に、記録単位の番号等を含む識別情報をプリピットとして記録する。このとき、グルーブトラック１０５上のプリピットヘッダ１０９とランドトラック１０６上のプリピットヘッダ１１０は半径方向に隣接させた場合、互いの信号がクロストークとなるため、円周方向にずらして配置する。
【００２９】
この条件の下になるべくヘッダ領域を短く構成した場合には図５（ａ）のような構成になる。この場合、プリピットヘッダ１０９とプリピットヘッダ１１０の長さを共にＮバイトとすると、グルーブトラック１０５およびランドトラック１０６が途切れる区間は、２Ｎバイトとなる。しかしこのようにヘッダ領域１０８を構成すると、グルーブ上のプリピットヘッダ１０９はその両隣にランド領域が隣接するのに対して、ランド上のプリピットヘッダ１１０は一方がランド領域であるが、他方はグルーブ領域が非常に近接して配されることになる。この場合、プリピットヘッダ１０９とプリピットヘッダ１１０の再生信号振幅が一致しない状態となることが容易に想像される。したがって、このようなプリピットヘッダの配置は好ましくない。
【００３０】
そこで図５（ｂ）のようにプリピットヘッダの両隣が常にランド領域となるように、グルーブトラック１０５およびランドトラック１０６の途切れる区間を広げて構成する。この場合は、グルーブ上のプリピットヘッダ１０９とランド上のプリピットヘッダ１１０を再生した場合はほぼ同一の信号振幅が得られることが期待できる。ところで、この場合、グルーブトラック１０５とランドトラック１０６の途切れる区間は３Ｎバイトとなる。各トラックのヘッダ領域において有効な情報（識別情報）はそのうちＮバイトのみであるため、残りの２Ｎバイトは冗長な領域である。本発明の光ディスクではこの冗長な領域を低減させるために図５（ｃ）のようなプリピットヘッダの配置を採る。識別情報に含まれる記録単位の番号は通常読取り率の向上のため２回同じ情報が繰返し記録されることが多い。したがって、この識別情報を記録したプリピットヘッダは同一の記録単位の番号が記録された２つのプリピットヘッダとして物理的に２等分することが可能である。
【００３１】
そこで、グルーブ上のプリピットヘッダ１０９とランド上のプリピットヘッダ１１０を各々２等分し、図５（ｃ）のように分割したプリピットヘッダの間に互いのプリピットヘッダが入るように交互に配置する。こうすると、各々のプリピットヘッダの長さはＮ／２バイトとなりグルーブトラック１０５とランドトラック１０６が途切れる区間は２．５Ｎバイトとなる。各トラックのヘッダ領域において有効な情報（識別情報）は分割前と同じくＮバイトであるため、冗長な領域は１．５Ｎバイトとなり分割前よりも２５％低減した、よって本発明のプリピットヘッダの配置を採ることにより、冗長度が低減でき、ひいてはユーザデータ容量を拡大するという効果があるのである。
【００３２】
なお、図５（ｃ）のようなプリピットヘッダの配置を採る場合、図８で説明したトラック１周の長さとは、グルーブトラック１０５あるいはランドトラック１０６がスパイラル状に一周する長さであるので、その一周あたりのずれ量αは図５（ｃ）からも分かるように１つのプリピットヘッダ長の２倍（Ｎバイト）となる。
【００３３】
次に、本発明の別の実施形態について、図面を参照して説明する。
【００３４】
図６は、本発明の光ディスクの第２の実施形態の全体図およびヘッダ領域周辺拡大図である。
【００３５】
本実施形態は、グルーブトラックのみを情報記録トラックとして用いる、いわゆるグルーブ記録フォーマットの光ディスクに本発明を適用したものである。第１の実施形態である図１の光ディスクとの違いは、グルーブトラック１０５のみを情報を記録再生するトラックとして用いる点である。したがって、ヘッダ領域１０８もグルーブトラック１０５上にのみ配置される。ヘッダ領域１０８はトラックに沿ってほぼ一定の間隔Ｄ（ｍｍ）をおいて配置されるのは第１の実施の形態と同じである。また、グルーブトラック１０５がスパイラル状に一周する長さとヘッダ領域間隔との関係も、図８の第１の実施の形態と同じであり、トラック１周後のヘッダ領域１０８は一周前のヘッダ領域からα（ｍｍ）だけずれて形成される。
【００３６】
結果としてヘッダ領域１０８がディスク上でスパイラル状に形成されるのは第１の実施形態と同じである。したがって、２層の情報記録層をもつ光ディスクにおける情報記録層間のクロストークの問題は、第１の実施の形態と同様の議論により、問題とならなくなるのは明らかである。
【００３７】
次に、本実施形態の光ディスクにおけるヘッダ領域のプリピットの配置について図７を用いて説明する。グルーブトラック１０５のみにプリピットヘッダ１０９を配置する場合に、なるべくヘッダ領域を短く構成した場合には図７（ａ）のようになる。この場合、プリピットヘッダ１０９の長さをＮバイトとすると、グルーブトラック１０５が途切れる区間はＮバイトとなる。しかしこのようにヘッダ領域１０８を構成すると、プリピットヘッダ１０９には左右にグルーブ領域が非常に近接して配されることになる。
【００３８】
この場合、プリピットヘッダ１０９の信号振幅が十分に得られない状態となることが容易に想像される。したがって、このようなプリピットヘッダ配置は好ましくない。そこで図７（ｂ）のようにプリピットヘッダの両隣が常にランド領域となるように、グルーブトラック１０５の途切れる区間を広げて構成する。こうすると、プリピットヘッダ１０９を再生した場合に十分な信号振幅が期待できる。この場合、グルーブトラック１０５の途切れる区間は３Ｎバイトとなる。各トラックのヘッダ領域において有効な情報（識別情報）はそのうちＮバイトのみであるため、残りの２Ｎバイトは冗長な領域である。
【００３９】
したがって、第１の実施の形態の光ディスクと同様に本実施形態の光ディスクではこの冗長な領域を低減させるために図７（ｃ）のようなプリピットヘッダの配置を採る。すなわち、プリピットヘッダ１０９を同一の記録単位の番号が記録された２つのプリピットヘッダとして物理的に２等分し、分割したプリピットヘッダの間に隣接するトラックのプリピットヘッダが入るように隣接トラックで交互に配置するのである。こうすると、各々のプリピットヘッダの長さはＮ／２バイトとなりグルーブトラック１０５が途切れる区間は２．５Ｎバイトとなる。各トラックのヘッダ領域において有効な情報（識別情報）は分割前と同じくＮバイトであるため、冗長な領域は１．５Ｎバイトとなり分割前よりも２５％低減した。
【００４０】
よって本実施の形態のプリピットヘッダの配置を採ることにより、第１の実施形態の光ディスクと同じく冗長度が低減でき、ひいてはユーザデータ容量を拡大するという効果があるのである。
【００４１】
なお、図７（ｃ）のようなプリピットヘッダの配置を採る場合、上述したトラック一周あたりのずれ量αは図から明らかなように、１つのプリピットヘッダ長とほぼ同一（Ｎ／２バイト）となる。
【００４２】
【発明の効果】
以上説明したように、本発明の光ディスクは、ディスク上にスパイラル状に形成されたグルーブあるいはグルーブとランドの情報記録トラックにユーザデータを記録するものであり、識別情報をグルーブの途切れた領域（ヘッダ領域）にプリピットとして記録する。このヘッダ領域をディスク半径方向について少しずつ（α）ずらして形成し、ディスク面内でヘッダ領域がスパイラルを形成するように構成する。これににより、２層の情報記録層を有する光ディスクにおいて、一方の層から他方の層へ漏れこむクロストークを低減することが可能となる。
【００４３】
また、識別情報を含むプリピットヘッダを２等分させ、隣接するトラック上のプリピットヘッダの間に交互に配置することにより、ヘッダ領域をトラック毎にずらしたことによる冗長度を軽減する事ができ、ユーザデータ容量を増加させることが可能となる。
【図面の簡単な説明】
【図１】本発明の第１の実施形態の光ディスクの全体図およびヘッダ領域周辺の拡大図。
【図２】２層の情報記録層を持つ光ディスクにおける光ビームの集光の様子を表す図。
【図３】デフォーカス状態の光スポットが情報記録層を走査する様子を表す図。
【図４】デフォーカス状態の光スポットが記録済み領域と未記録領域のある情報記録層を走査する様子を表す図。
【図５】本発明の第１の実施形態において、識別情報を記録したプリピットヘッダを分割することによる効果を説明する図。
【図６】本発明の第２の実施形態の光ディスクの全体図およびヘッダ領域周辺の拡大図。
【図７】本発明の第２の実施形態において、識別情報を記録したプリピットヘッダを分割することによる効果を説明する図。
【図８】本発明光ディスクにおいて、１トラックに渡るヘッダ領域の配置を説明する図。
【図９】記録層を２層有する光ディスクの第１層を再生した場合の再生信号の様子を表す図。
【図１０】従来の光ディスクのトラック構造の一例を表す図。
【図１１】従来の光ディスクの記録層を２層有する光ディスクにおける光ビームの集光の様子を表す図。
【図１２】従来の光ディスクにおいて、記録済み領域と未記録領域がある場合の光スポットとの相対関係を表す図。
【符号の説明】
１０１…光ディスク、１０２…内穴、１０３…記録領域最内周部、１０４…記録領域最外周部、１０５…グルーブトラック、１０６…ランドトラック、１０７…記録領域、１０８…ヘッダ領域、１０９…プリピットヘッダ（グルーブ）、１１０…プリピットヘッダ（ランド）。
【図１】
0003545725.tif 000002
【図２】
0003545725.tif 000003
【図３】
0003545725.tif 000004
【図４】
0003545725.tif 000005
【図５】
0003545725.tif 000006
【図６】
0003545725.tif 000007
【図７】
0003545725.tif 000008
【図８】
0003545725.tif 000009
【図９】
0003545725.tif 000010
【図１０】
0003545725.tif 000011
【図１１】
0003545725.tif 000012
【図１２】
0003545725.tif 000013